(57)【特許請求の範囲】
【請求項１】
画像データと前記画像データの著作権情報を入力する第１の入力手段と、
前記著作権情報を電子透かしとして前記画像データに埋め込む埋め込み手段と、
所定の情報を入力する第２の入力手段と、
前記所定の情報と前記著作権情報とが一致する場合には、前記第１の入力手段により入力された画像データを出力し、前記所定の情報と前記著作権情報とが一致しない場合には、前記埋め込み手段により埋め込まれた画像データを出力する出力手段とを有することを特徴とする画像処理装置。
【請求項２】
画像データと前記画像データの第１の著作権情報を入力する第１の入力手段と、
所定の情報と第２の著作権情報を入力する第２の入力手段と、
前記所定の情報と前記第１の著作権情報とが一致する場合には、前記第２の著作権情報を設定し、前記所定の情報と前記第１の著作権情報とが一致しない場合には、前記第１の著作権情報を設定する設定手段と、
前記設定手段により設定された著作権情報を電子透かしとして前記画像データに埋め込む埋め込み手段とを有することを特徴とする画像処理装置。
【請求項３】
さらに、前記埋め込み手段により埋め込まれた画像データを出力する出力手段を有することを特徴とする請求項２に記載の画像処理装置。
【請求項４】
前記画像データは、フィルムを読み取って得られた画像データであり、前記著作権情報は、前記フィルムの磁気記録部より得られた情報であることを特徴とする請求項１に記載の画像処理装置。
【請求項５】
前記画像データは、フィルムを読み取って得られた画像データであり、前記第１の著作権情報は、前記フィルムの磁気記録部より得られた情報であることを特徴とする請求項２に記載の画像処理装置。
【請求項６】
前記所定の情報は、ハッシュ関数により変更された情報であることを特徴とする請求項１〜５の何れか１項に記載の画像処理装置。
【請求項７】
画像データと前記画像データの著作権情報を入力する第１の入力工程と、
前記著作権情報を電子透かしとして前記画像データに埋め込む埋め込み工程と、
所定の情報を入力する第２の入力工程と、
前記所定の情報と前記著作権情報とが一致する場合には、前記第１の入力工程で入力された画像データを出力し、前記所定の情報と前記著作権情報とが一致しない場合には、前記埋め込み工程で埋め込まれた画像データを出力する出力工程とを有することを特徴とする画像処理方法。
【請求項８】
画像データと前記画像データの第１の著作権情報を入力する第１の入力工程と、
所定の情報と第２の著作権情報を入力する第２の入力工程と、
前記所定の情報と前記第１の著作権情報とが一致する場合には、前記第２の著作権情報を設定し、前記所定の情報と前記第１の著作権情報とが一致しない場合には、前記第１の著作権情報を設定する設定工程と、
前記設定工程で設定された著作権情報を電子透かしとして前記画像データに埋め込む埋め込み工程とを有することを特徴とする画像処理方法。
【請求項９】
さらに、前記埋め込み工程で埋め込まれた画像データを出力する出力工程を有することを特徴とする請求項８に記載の画像処理方法。
【請求項１０】
請求項７〜９の何れか１項に記載の画像処理方法をコンピュータに実行させるためのプログラムを記憶したコンピュータ読み取り可能な記憶媒体。
【発明の詳細な説明】
【０００１】
【発明の属する技術分野】
本発明は画像処理装置、方法及び媒体に関する。
【０００２】
【従来の技術】
近年、画像を光学的に記録する銀塩フィルムの一部に磁性体を塗布した磁気記録部を設けて成るＡＰＳフィルムと呼ばれるフィルムが普及し始めている。上記磁気記録部には、通常はカメラの撮影日時等の撮影パラメータ等が記録されるが、この磁気記録部に撮影した画像の著作権を主張するための著作権コードを記録するための技術が提案されている。
【０００３】
又、このＡＰＳフィルムを読み取り、出力する際に画像上に著作権コードを電子すかし情報として重畳する技術が発明者により提案されている。
【０００４】
【発明が解決しようとする課題】
上述の従来例では、ＡＰＳフィルム上に著作権コードが付加されているときは、ＡＰＳフィルムを読み取り、出力する画像データ上に必ず著作権コードが電子透かし情報として付加される。しかしながら、著作権コードが付加されているフィルム画像で、例えば著作権を譲り渡して出力する場合は画像データ上に著作権コードを付加する必要がなくなる。
【０００５】
本発明はかかる点に鑑み、所定の情報を知る著作権者もしくは該権者から許可された者は、著作権情報を電子透かしとして埋め込まれていなく、かつ、画質劣化のない画像データを得ることができることを目的とする。
また、本発明はかかる点に鑑み、所定の情報を知る著作権者もしくは該権者から許可された者は、所望の著作権情報を電子透かしとして画像データに埋め込むことができることを目的とする。
【０００６】
【課題を解決するための手段】
上記課題を解決するその一つの発明の画像処理装置は、画像データと前記画像データの著作権情報を入力する第１の入力手段と、前記著作権情報を電子透かしとして前記画像データに埋め込む埋め込み手段と、所定の情報を入力する第２の入力手段と、前記所定の情報と前記著作権情報とが一致する場合には、前記第１の入力手段により入力された画像データを出力し、前記所定の情報と前記著作権情報とが一致しない場合には、前記埋め込み手段により埋め込まれた画像データを出力する出力手段とを有することを特徴とする。
また、上記課題を解決するその一つの発明の画像処理装置は、画像データと前記画像データの第１の著作権情報を入力する第１の入力手段と、所定の情報と第２の著作権情報を入力する第２の入力手段と、前記所定の情報と前記第１の著作権情報とが一致する場合には、前記第２の著作権情報を設定し、前記所定の情報と前記第１の著作権情報とが一致しない場合には、前記第１の著作権情報を設定する設定手段と、前記設定手段により設定された著作権情報を電子透かしとして前記画像データに埋め込む埋め込み手段とを有することを特徴とする。
【０００７】
【発明の実施の形態】
以下、本発明の実施の形態を図面と共に説明する。
【０００８】
図１は本発明の第１の実施の形態を示す。
【０００９】
図１において、不図示のＡＰＳフィルムの磁気記録部から磁気ヘッドにより読み取られた著作権コード１は、電子すかし情報変換部２において後述する電子すかし情報３に変換された後、合成部４に送られる。
【００１０】
一方、上記ＡＰＳフィルムから撮像素子で読み取られ、Ａ／Ｄ変換された画像データ５は合成部４に送られて、上記電子すかし情報３と合成される。合成部４からの出力データ７は複写機でコピーされプリントアウトしたり、あるいは記憶装置に画像ファイリングとして保存することができる。尚、著作権コード１がない場合は、セレクタ６を切り換えて画像データ５が合成部４が流れない様にスルーさせる。
【００１１】
尚、プリントアウトする場合における画像データ５としては、実際には上記撮像素子で読み取ったＲ、Ｇ、Ｂ信号を後述するようにＭ、Ｃ、Ｙ、Ｂｋ信号から成るプリント用の画像データに変換したものを用いる。
【００１２】
図２はプリントアウトされたコピー８を示すもので、ＡＰＳフィルムから読み取った画像９と共に、この画像９に重畳されて電子すかし情報化された著作権コード１０がプリントされている。この図では、複数個の同じ著作権コード１０が二列に配されてプリントされている場合を示している。
【００１３】
従って、このようなコピー８を肉眼で見ても著作権コード１０は目立たず、本来の画像９を損うことがなく、かつ著作権コード１０は画像９の中に埋め込まれた形なので、改竄することは非常に困難となる。
【００１４】
次に電子すかし情報を得る方法について説明する。
【００１５】
著作権コード等の特定の情報を電子すかし情報に変換して画像中に重畳する方法として、例えば、薄いＹ（イエロー）のドットを上記特定情報に応じて画像中に混入させる方法がある。また濃淡のドットを形成しないで２値のドットを用いるプリンタの場合は、例えば、Ｙのドットを特定情報の「１」、「０」に応じて奇数ドット又は偶数ドットだけずらせるという方法がある。この外に画像データを特定情報に応じて周波数変調する等の方法がある。
【００１６】
尚、これらの方法は、特開平５−３０１３８０号公報、特開平６−８６０４９号公報等に開示されている。
【００１７】
次に、上記第１の実施の形態を実現するための具体的な構成について説明する。
【００１８】
図３は前記プロジェクタ内に設けられるフィルム給送部及び磁気読み取り部の構成を示す。
【００１９】
図３において、１は磁気記録された著作権コード、撮影日時データ等の付加情報を読み取り、書き込みを行う磁気ヘッド、２は磁気ヘッド１の押えパット、３はフィルムカートリッジ、４は磁性体を塗布した磁気記録部を備えたフィルム（ＡＰＳフィルム）、５はフィルム４を巻き取るためのスプール、１２３は後述するイメージスキャナ部のための照明光源である。
【００２０】
８はフィルムを給送するための給送用フォーク、９はフィルム給送用ギアユニット、１０はスプール５を駆動するためのフォーク、１１はスプール駆動用ギアユニットである。１２は給送用モータであり、上記給送用ギアユニット９、スプール駆動用ギアユニット１１にともに接続される。
【００２１】
上記給送用モータ１２の回転動作によりギアユニット９、１１を介してフィルム４が移動し、この移動中にフィルムの面に磁気記録された著作権コード、撮影日時データが磁気ヘッド１によって読み取られる。
【００２２】
図４は本発明に用いられるカラー複写機の断面構成を示す図である。
【００２３】
図４において、２０１はイメージスキャナ部であり、原稿画像をカラーで読み取り、必要なディジタル信号処理を行う。２００はプリンタ部であり、イメージスキャナ部２０１で読み取られた原稿画像に対応して画像を記録用紙上にフルカラーでプリント出力する。１２１はＡＰＳフィルムの投影を行う前記プロジェクトとしてのプロジェクタユニットであり、図３のＡＰＳフィルム給送部及び磁気記録読み取り部を含む。
【００２４】
イメージスキャナ部２０１において、原稿台ガラス（プラテン）２０３上に置かれた原稿２０４をハロゲンランプ２０５の光で照射する。この原稿２０４から反射光はミラー２０６、２０７に導かれ、レンズ２０８により撮像素子としてのＣＣＤ３ラインセンサ（以下、「ＣＣＤ」という）２１０上に像を結ぶ。なお、レンズ２０８には赤外線カットフィルタ２３１が設けられている。
【００２５】
ＣＣＤ２１０は、原稿２０４からの光情報を色分解して、フルカラー情報のレッド（Ｒ）、グリーン（Ｇ）、ブルー（Ｂ）成分を読み取った後、画像信号処理部２０９に送る。ＣＣＤ２１０の各色成分読み取りセンサ列は、各々が５０００画素から構成されている。これにより、原稿台ガラス２０３上に置かれる原稿の中で最大サイズであるＡ３サイズの原稿の短手方向２９７ｍｍを、４００ｄｐｉの解像度で読み取ることができる。
【００２６】
なお、ハロゲンランプ２０５、ミラー２０６は速度ｖで、また、ミラー２０７は（１／２）ｖで、ラインセンサ２１０の電気的な走査方向（主走査方向）に対して垂直方向（副走査方向）に移動することにより、原稿２０４の全面を走査する。
【００２７】
また、標準白色板２１１は、ＣＣＤ２１０におけるＲ、Ｇ、Ｂセンサで読み取ったデータを補正する補正データを発生する。この標準白色板２１１は、可視光でほぼ均一の反射特性を示し、可視では白色の色を有している。ここでは、この標準白色板２１１を用いて上記Ｒ、Ｇ、Ｂセンサから出力データの補正を行う。
【００２８】
また、画像信号処理部２０９では、読み取られたＲ、Ｇ、Ｂ画像信号と、外部のホストコンピュータ等から送られた画像信号とを切り替えて入力し、入力された画像信号を電気的に処理して、マゼンタ（Ｍ）、シアン（Ｃ）、イエロー（Ｙ）、ブラック（Ｂｋ）の各成分に分解する。そして、これらの各成分の画像信号をプリンタ部２００に送る。
【００２９】
また、イメージスキャナ部２０１における１回の原稿走査（スキャン）についてＭ、Ｃ、Ｙ、Ｂｋの各成分内の１つの成分がプリンタ部２００に送られ（面順次画像形成）、合計４回の原稿走査により１枚分のプリントアウトが完成する。
【００３０】
次にプリンタ部２００について説明する。
【００３１】
プリンタ部２００では、画像処理された上記Ｍ、Ｃ、Ｙ、Ｂｋの各画像信号がレーザドライバ２１２に送られる。レーザドライバ２１２は、送られてきた各画像信号に応じて半導体レーザ２１３を変調駆動する。半導体レーザ２１３からのレーザ光はポリゴンミラー２１４、Ｆ−θレンズ２１５、ミラー２１６を介して、感光ドラム２１７上を走査する。
【００３２】
マゼンタ現像器２１９、シアン現像器２２０、イエロー現像器２２１、ブラック現像器２２２の４つの現像器が交互に感光ドラム２１７に接して、感光ドラム２１７上に形成されたＭ、Ｃ、Ｙ、Ｂｋの静電潜像を対応するトナーで現像する。
【００３３】
また、転写ドラム２２３には、用紙カセット２２４、または用紙カセット２２５より給紙された記録用紙が巻き付けられ、感光ドラム２１７上に形成されたＭ、Ｃ、Ｙ、Ｂｋの各成分の静電潜像にトナーで現像されると感光ドラム２１７に接触して回転し、現像されたトナー像を順次用紙に転写する。
【００３４】
このようにして、Ｍ、Ｃ、Ｙ、Ｂｋの４色についてトナー像が順次、転写された後、用紙は、定着ユニット２２６を通過して排紙される。
【００３５】
なお、２４０は、給紙レジストセンサであり、給紙された紙がこのセンサを横切るタイミングから、後述するフィルム読み取りを開始するタイミングを生成する。
【００３６】
次に上記プロジェクタユニット１２１を含むＡＰＳフィルム投影部について説明する。
【００３７】
２３０は、図３で説明したフィルム給送部及び磁気記録読み取り部、１２３は図３のハロゲンランプ、１２２はハロゲンランプ１２３の光を反射する反射板、１２４は集光レンズ、１２６は投影レンズ、１２７は反射ミラー、１０２はフィルム像をスキャナ内部の読み取り部に結像するためのフレネルレンズ、１２５は不図示のトレイに格納された複数フィルムを回転移動しつつ連続的に読み取り位置に搬送し、読み取り終了後読み取り位置から引き出すオートキャリアである。このプロジェクタユニット１２１を用いてフィルム透過光を原稿台ガラス１０１に投影することにより、フィルム画像をＣＣＤ１０３にて読み取ることができる。
【００３８】
図５は以上で説明したプロジェクタユニット１２１を備えたカラー複写機における画像処理システムの電気的な制御部分を示す図面である。
【００３９】
図５において１３は、磁気記録データ再生回路であり、フィルム４上の磁気データを読み取る。１５は給送用モータ１２を駆動するためのモータドライバ、３０４はフィルム４から読み取った画像データや磁気データを格納するための画像メモリである。
【００４０】
３０３は装置全体を制御するＣＰＵ、３０５は装置の実行制御プログラム等を記憶する本発明による記憶媒体としてのフラッシュメモリである。３０６は後述する各種指示入力を行う操作部であり複写機の上面に設けられている。２０９は複写機で必要な各種画像処理を行う図４の画像信号処理部であり、図１の構成を含む。なお、上記記憶媒体としては、フラッシュメモリの外に、他の半導体メモリ、光ディスク、光磁気ディスク、磁気媒体等を用いてもよい。
【００４１】
図６は、フィルム４の読み取り及び画像形成に関するＣＰＵ３０３の処理を示すフローチャートである。
【００４２】
ステップＳ４０１〜Ｓ４０７で、予めフィルム４の磁気データ及び画像データを読み取り、プリント時の処理条件及びフィルムコマ数を把握し、ステップＳ４０８〜Ｓ４２０で、フィルム画像読み取りと給紙動作とを並列実行する。
【００４３】
なお、読み取られた磁気データは、画像図５のメモリ３０４に記憶される。また、読み取られた画像データからＲ、Ｇ、Ｂ信号毎に輝度ヒストグラムを生成し、画像データ読み取り・プリント時に画像信号処理部２０９に設定される各種画像信号処理パラメータを算出する。画像信号処理パラメータの算出に関する技術内容は、カラー複写機におけるフィルムプロジェクタの読み取り処理として公知であり、ここでは詳述しない。また、画像信号処理パラメータの一部は磁気データに基づいて生成することも可能である。
【００４４】
次に各ステップについて詳しく説明する。
【００４５】
Ｓ４０１において図４のミラー２０６、２０７を駆動し、フレネルレンズ１０２の特定の位置に、スキャナー読み取り位置を固定する。次にＳ４０２で、ハロゲンランプ１２３を点灯する。そしてＳ４０３で、モータドライバ１５に信号を出力し、給送用モータ１２を回転させてフィルム４を１コマ送る。
【００４６】
Ｓ４０４で、フィルム給送中に、ＣＣＤ２１０で画像データを読み取ると同時に、磁気ヘッド１からフィルム４の磁気記録部に記録された磁気データを読み取る。このとき読み取られる磁気データには、著作権コード、コマ番号、撮影日時、画像サイズ情報、色温度情報、画像方向情報が記憶されている。画像方向情報は、画像が縦位置撮影によるものか、横位置撮影によるものかを示す情報である。撮影サイズ情報は、撮影画像が通常サイズかパノラマサイズかを示す情報である。
【００４７】
Ｓ４０５では、Ｓ４０４で読み取ったコマが最終か否かを判断する。Ｓ４０６では、読み取られたフィルムコマ数を示す情報を画像メモリ３０４に格納する。Ｓ４０７で、ハロゲンランプ１２３を消灯する。Ｓ４０８で、先に読み取られたコマ数分巻き戻す。Ｓ４０９では、実際にプリントする際に必要とされる画像データの読み取りを行う前に、用紙カセットより給紙を開始する。
【００４８】
Ｓ４１０では、Ｓ４０４で画像メモリ３０４に記憶された画像信号処理パラメータを、画像信号処理部２０９に設定する。また、後述する図１１の処理手順に従って磁気記憶された著作権コードの情報に基づき図１の電子すかし情報変換部２及びセレクタ６を設定する。更に後述する図８の手順に従って磁気記憶された著作権コードの変更を受け付ける。また、磁気記憶された撮影サイズ情報（通常サイズ／パノラマサイズ）より、読み取り領域を決定し、対応する読み取り領域信号を生成するように画像信号処理装置部２０９の設定を行う。
【００４９】
Ｓ４１１で、フィルム４の画像データの読み取りを開始する。ＣＣＤ２１０の動作速度に同期して、給送用モータ１２を駆動し、フィルム４を移動する。読み取られた画像データは画像メモリ３０４に格納される。
【００５０】
以上の動作により、ミラー２０６、２０７を移動させることなく、ＣＣＤ２１０よりフィルム４の画像データを１コマ分画像メモリ３０４に格納できる。
【００５１】
これにより、画像データ読み取り時、ミラー２０６、２０７移動による、ミラー面の移動の影響がなくなり、色づれの小さなＲ、Ｇ、Ｂ信号を得ることができる。
【００５２】
次に、Ｓ４１２で、Ｓ４０９において給紙が開始された紙がレジストセンサ２４０に到達するのを待ち、到達したらＳ４１３に進み、紙の所定の位置に画像がプリントされるように像形成開始のタイミングをＴ１  ミリ秒遅延して調整する。Ｓ４１４では、画像メモリ３０４に格納された各コマに対する画像データに基づき、半導体レーザ２１７を駆動して１コマ分の像形成を開始する。
【００５３】
Ｓ４１５で、現在プリント中のフィルムのコマは最小コマか否かを判断する。ＹｅｓならＳ４１９でプリント終了を待った後、Ｓ４２０でランプを消灯し、Ｓ４２１でフィルムを巻き戻してプリント処理を終了する。Ｎｏなら前の紙のプリント中に４１６に進む。Ｓ４１６では所定時間Ｔ２  ミリ秒を遅延する。即ち、先に給紙した紙がプリント完了後にすぐに次の紙のプリントを開始できるタイミングになるように、次の給紙を開始するタイミングを調整する。
【００５４】
Ｓ４１６の遅延処理後、Ｓ４１７で前の紙のプリント完了前に次の給紙を開始する。Ｓ４１８で、レーザ２１７によるプリント作業が終了するのを待つ。プリント作業が終了したらすぐにＳ４１０にもどり、上述と同様の処理手順を繰り返す。
【００５５】
以上のプリント手順によって、フィルム４の画像データの読み取り動作と給紙及びプリント動作を並行移動させることにより、フィルム読み取り及びプリントの全体処理の速度を向上させることができる。また、反射原稿の読み取りセンサーを利用し、フィルムを給送しながら読み取ることにより、フィルム読み取りのためのセンサを省くことが可能となる。
【００５６】
図番は前後するが図７は図２に示すプリントの別の例である。かかる例においては１１に示される様に著作権を示すパターンを人間の目で視認できるパターンとして形成してもよい。
【００５７】
次にＳ４１０において引用した図１１、図８のフローチャートについて説明する。
【００５８】
図１１はＣＰＵ３０３の処理を示す、フローチャート図６の内のＳ４１０の著作権コードの電子すかし画像の設定を説明する図面である。
【００５９】
図１１の１１０１において、図１０の操作部画面で入力された、プリント許諾コード−Ｐをハッシュ関数ｈを用いて、コード化し、ＣＰを得る。
【００６０】
ＣＰ＝ｈ（ｐ）…式（１）
【００６１】
尚かかる操作部画面は図５の３０６に示される操作部を示し、図１０において１０１０はプリント許諾コードを入力するためのテンキー、アルファベットキーであり、１０１２は入力されたキー情報を表示する表示部、１０１４は表示されたキー情報を使用者がプリント許諾コードとして確定するためのキーである。
【００６２】
１１０２において、前記ＣＰの値と、ＡＰＳフィルムに格納されている著作権コードの値が一致しているかどうかを調べる。
【００６３】
一致している場合には１１０３において、図１で示す、スイッチ６を制御して、著作権コードを電子透かし情報として画像データに重畳しないよう制御する。
【００６４】
一致していない場合には１１０４において、図１で示す、スイッチ６を制御して、著作権コードを電子透かし情報として画像データに重畳するよう制御する。
【００６５】
次に図８は図９で示す操作部画面で入力した、著作権コードをＡＰＳフィルムに設定する処理を説明した図面である。
【００６６】
尚、かかる操作画面は図５の３０６に示される操作部を示し、図９において９１０は後述するコードを入力するためのテンキー、アルファベットキー、９１２は入力された著作権コードを表示する表示部、９１４は新たに設定された新著作権コードを表示する表示部、９１６は表示されたコードを確定するためのキーである。
【００６７】
図８の８０１において図９の操作部画面で著作権コード及び、新著作権コードを入力する。８０２において、８０１入力された、著作権コード−Ｃをハッシュ関数ｈを用いて、コード化する。
【００６８】
ＣＣ＝ｈ（ｃ）…式（２）
【００６９】
ハッシュ関数としては、本実施例では、ＭＤ５と呼ばれる関数を用いる（ＭＤ５：暗号理論の基礎  Ｄｏｕｇｌａｓ  Ｒ．Ｓｔｉｎｓｏｎ著  共立出版株式会社  第７章  に詳述）。
【００７０】
８０３において、ＡＰＳフィルムの磁気記録部の著作権コードと、前記ＣＣの値が一致しているか否かを判断する。
【００７１】
８０４において、入力された、新著作権コードＮＣをハッシュ関数を用いて、変換する。
【００７２】
ＣＮＣ＝ｈ（ＮＣ）…式（３）
【００７３】
８０５において、前記ＣＮＣの値を図３に示す磁気ヘッド１によってＡＰＳフィルムの磁気記録部に書き込む。
【００７４】
以上説明したように著作権コードを再設定する手段により、一度発行したプリント許諾コードを無効にし新たに、著作権コードを再設定する事が可能になる。
【００７５】
本実施例に開示された構成に依れば、著作権者のみが知り得る特定コードを入力し、ＡＰＳフィルムに格納された著作権に関する情報と一致する際、画像データ上に著作権コードが付加されない手段をもうける事により、出力される画像データ上に、著作権コードが電子透かし情報として付加されないようにすることを、著作権者のみが実施可能にできる。
【００７６】
又、著作権者のみが知り得る特定コードを入力し、ＡＰＳフィルムに格納された著作権に関する情報を変更する手段を設ける事により、著作権者のみがＡＰＳフィルムに格納された著作権に関する情報を変更する事が可能になる。
【００７７】
本発明は複数の機器（たとえばホストコンピュータ、インタフェース機器、リーダ、プリンタ等）から構成されるシステムに適用しても一つの機器（たとえば複写機、ファクシミリ装置）からなる装置に適用してもよい。
【００７８】
また前述した実施形態の機能を実現する様に各種のデバイスを動作させる様に該各種デバイスと接続された装置あるいはシステム内のコンピュータに、前記実施形態機能を実現するためのソフトウエアのプログラムコードを供給し、そのシステムあるいは装置のコンピュータ（ＣＰＵあるいはＭＰＵ）を格納されたプログラムに従って前記各種デバイスを動作させることによって実施したものも本願発明の範疇に含まれる。
【００７９】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００８０】
かかるプログラムコードを格納する記憶媒体としては例えばフロッピーディスク、ハードディスク、光ディスク、光磁気ディスク、ＣＤ−ＲＯＭ、磁気テープ、不揮発性のメモリカード、ＲＯＭ等を用いることが出来る。
【００８１】
またコンピュータが供給されたプログラムコードを実現することにより、前述の実施形態の機能が実現されるだけでなく、そのプログラムコードがコンピュータにおいて稼動しているＯＳ（オペレーティングシステム）、あるいは他のアプリケーションソフト等と共同して前述の実施形態の機能が実現される場合にもかかるプログラムコードは本願発明の実施形態に含まれることは言うまでもない。
【００８２】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本願発明に含まれることは言うまでもない。
【００８３】
本発明は上述の実施例に示されたＡＰＳフィルム以外の媒体、例えば光磁気ディスク或いは半導体メモリ等の固体メモリであってもよい。
【００８４】
又、画像データに付加された情報に関連した情報としては、ＡＰＳフィルムに格納されている著作権コードとしたが、本発明はかかる著作権コードそのものでなくてもよい。例えば該著作権コードとは別の著作者のみが知り得るような情報であってもよい。かかる情報としては、例えば暗唱コードであってもよい。要は画像データに付加された情報であればよい。
【００８５】
又、本実施例においては著作権コードをハッシュ関数を用いて更にコード化したがこれに限らず、他の種々の関数或いは他の方法を用いてコード化してもよい。
【００８６】
又本実施例においては財産権として著作権を説明したが本発明はこれに限らず、通常実施権、専用実施権、一時複製権等であってもよいことは勿論である。
【００８７】
又、本実施例においては複写機等の画像形成手段により例えば紙上に像形成するに際して電子すかし情報を付加したが、これに限らず、画像データをネットワークを介して伝送する場合においても同様に本発明を適用することが出来る。
【００８８】
【発明の効果】
本発明は、所定の情報と画像データの著作権情報とが一致する場合に、入力された画像データを出力し、所定の情報と画像データの著作権情報とが一致しない場合には、著作権情報を電子透かしとして埋め込まれた画像データを出力するので、所定の情報を知る著作権者もしくは該権者から許可された者は、著作権情報を電子透かしとして埋め込まれていなく、かつ、画質劣化のない画像データを得ることができる。
【００８９】
又、本発明は、所定の情報と画像データの第１の著作権情報とが一致する場合には、第２の著作権情報を電子透かしとして画像データに埋め込み、所定の情報と画像データの第１の著作権情報とが一致しない場合には、第１の著作権情報を電子透かしとして画像データに埋め込むので、所定の情報を知る著作権者もしくは該権者から許可された者は、所望の著作権情報を電子透かしとして画像データに埋め込むことができる。
【図面の簡単な説明】
【図１】本発明の第１の実施の形態を示すブロック図である。
【図２】プリントアウトされたコピーを示す構成図である。
【図３】フィルム給送部及び磁気読み取り部を示す斜視図である。
【図４】カラー複写機の断面構成図である。
【図５】カラー複写機の電気的な制御部分を示すブロック図である。
【図６】第１の実施の形態による動作を示すフローチャートである。
【図７】本発明の第２の実施の形態によるコピーの状態を示す構成図である。
【図８】図９で示す操作部画面で入力した、著作権コードをＡＰＳフィルムに設定する処理を説明した図である。
【図９】新たな著作権コードを入力する操作部画面を示す図である。
【図１０】プリント許諾コードを入力する操作部画面を示す図である。
【図１１】ＣＰＵ３０３の処理を示す、フローチャート図６の内のＳ４１０の著作権コードの電子すかし画像の設定を説明する図である。
【図１】
0003604892.tif 000002
【図２】
0003604892.tif 000003
【図３】
0003604892.tif 000004
【図４】
0003604892.tif 000005
【図５】
0003604892.tif 000006
【図６】
0003604892.tif 000007
【図７】
0003604892.tif 000008
【図８】
0003604892.tif 000009
【図９】
0003604892.tif 000010
【図１０】
0003604892.tif 000011
【図１１】
0003604892.tif 000012